(57)【要約】【課題】吸引流と吐出流との干渉を少なくし、捕集性能を高めることができる排気装置を提供する。【解決手段】ケーシングと、前記ケーシングへの吸引流を形成する排気ファンと、前記ケーシングから吐出されエアカーテンを生ずる吐出流を形成する吐出ファンと、を備え、前記ケーシングは、前記吸引流が流入する吸引口と、前記吸引流が流れる吸引流路と、前記吐出流が流れる吐出流路と、前記吐出流が吐出する吐出口と、を有し、前記吐出口の下端は、前記吸引口よりも上方に配置され、前記吐出流路の先端部は、前記吸引口から離れる方向に傾斜してなることを特徴とする排気装置が提供される。【選択図】図１
2009236431.tif 000002
【特許請求の範囲】
【請求項１】
ケーシングと、
前記ケーシングへの吸引流を形成する排気ファンと、
前記ケーシングから吐出されエアカーテンを生ずる吐出流を形成する吐出ファンと、
を備え、
前記ケーシングは、
前記吸引流が流入する吸引口と、
前記吸引流が流れる吸引流路と、
前記吐出流が流れる吐出流路と、
前記吐出流が吐出する吐出口と、
を有し、
前記吐出口の下端は、前記吸引口よりも上方に配置され、
前記吐出流路の先端部は、前記吸引口から離れる方向に傾斜してなることを特徴とする排気装置。
【請求項２】
前記ケーシングは、前記吸引口が設けられた下面と、前記下面の周囲を取り囲む外周面と、を有し、
前記吐出口は、前記外周面の少なくともいずれかに配置されてなることを特徴とする請求項１記載の排気装置。
【請求項３】
前記ケーシングは、前記吸引口が設けられた下面と、前記下面の周囲を取り囲む外周面と、前記下面と前記外周面との間に設けられた斜面と、を有し、
前記吐出口は、前記斜面の少なくともいずれかに配置されてなることを特徴とする請求項１記載の排気装置。
【請求項４】
前記吐出流は、斜め下方且つ前記吸引流と干渉しない方向に、前記吐出口から吐出されることを特徴とする請求項１〜３のいずれか１つに記載の排気装置。
【発明の詳細な説明】
【技術分野】
【０００１】
本発明の態様は、一般的に、排気装置に関し、具体的にはエアカーテンを形成させることができる排気装置に関する。
【背景技術】
【０００２】
臭気などを吸引捕集し、外部へ排気する排気装置がある。例えば、キッチンに設置されたレンジ等の調理器具の上方に排気装置を設置し、調理器具から立ちのぼる油煙や臭気などを吸引捕集することが行われている。一方、最近では、調理器具が壁に沿って設置される従来型キッチンだけでなく、調理器具が壁から離れたところに設置される、いわゆる、アイランド型キッチンやペニンシュラ型キッチンが普及し始めている。
【０００３】
従来型のキッチンでは、消防法の規制に基づいて排気装置と調理器具との間の距離を８００ｍｍ以上に離したとしても、壁があるため油煙や臭気などが拡散しにくく、油煙や臭気などを比較的簡単に捕集することができた。しかし、アイランド型キッチンやペニンシュラ型キッチンでは、その周囲が開放しているため、油煙や臭気などが拡散しやすく、油煙や臭気などの捕集が困難なものとなる。そのため、アイランド型キッチンやペニンシュラ型キッチンでは、従来よりも高い捕集性能を有する排気装置が要求されるようになってきている。さらに、外乱風（横風）がある場合には、油煙や臭気などがより拡散しやすく、油煙や臭気などの捕集がより困難なものとなる。
【０００４】
そこで、排気装置から吹き出される気体流によって形成されるエアカーテンにより、調理器具などから立ち上る油煙や臭気などの拡散を遮断しつつ、その油煙や臭気などを捕集および排気させる装置がある（特許文献１および特許文献２）。
【０００５】
しかしながら、特許文献１（特開２００７−１００９７８号公報）に記載の排気器具は、排気口と補助噴出口とが近接し、且つ補助気体の噴出向きが排気口の開口面に対して同じ側へ傾斜しているため、排気口から吸引される気体（吸引流）と、補助気体（吐出流）と、が干渉し、拡散を遮断するという効果を得ることができないおそれがある。そのため、吸引性能が十分に発揮できず、捕集性能が不十分となるおそれがある。
【特許文献１】特開２００７−１００９７８号公報
【特許文献２】特開２００７−２９２３８８号公報
【発明の開示】
【発明が解決しようとする課題】
【０００６】
本発明の態様は、かかる課題の認識に基づいてなされたものであり、吸引流と吐出流との干渉を少なくし、捕集性能を高めることができる排気装置を提供する。
【課題を解決するための手段】
【０００７】
本発明の一態様によれば、ケーシングと、前記ケーシングへの吸引流を形成する排気ファンと、前記ケーシングから吐出されエアカーテンを生ずる吐出流を形成する吐出ファンと、を備え、前記ケーシングは、前記吸引流が流入する吸引口と、前記吸引流が流れる吸引流路と、前記吐出流が流れる吐出流路と、前記吐出流が吐出する吐出口と、を有し、前記吐出口の下端は、前記吸引口よりも上方に配置され、前記吐出流路の先端部は、前記吸引口から離れる方向に傾斜してなることを特徴とする排気装置が提供される。
【発明の効果】
【０００８】
本発明の態様によれば、吸引流と吐出流との干渉を少なくし、捕集性能を高めることができる排気装置が提供される。
【発明を実施するための最良の形態】
【０００９】
第１の発明は、ケーシングと、前記ケーシングへの吸引流を形成する排気ファンと、前記ケーシングから吐出されエアカーテンを生ずる吐出流を形成する吐出ファンと、を備え、前記ケーシングは、前記吸引流が流入する吸引口と、前記吸引流が流れる吸引流路と、前記吐出流が流れる吐出流路と、前記吐出流が吐出する吐出口と、を有し、前記吐出口の下端は、前記吸引口よりも上方に配置され、前記吐出流路の先端部は、前記吸引口から離れる方向に傾斜してなることを特徴とする排気装置である。  
この排気装置によれば、吸引流と吐出流とが干渉するおそれは少なくなり、捕集性能を高めることができる。さらに、吸引流と吐出流とが干渉しないことで吐出流（エアカーテン）の到達距離がより長くなるため、油煙や臭気などの拡散を遮断する性能を高めることができる。
【００１０】
また、第２の発明は、第１の発明において、前記ケーシングは、前記吸引口が設けられた下面と、前記下面の周囲を取り囲む外周面と、を有し、前記吐出口は、前記外周面の少なくともいずれかに配置されてなることを特徴とする排気装置である。  
この排気装置によれば、吐出口の下端は吸引口よりも上方に配置されるため、吸引流と吐出流とが干渉するおそれは少なくなる。
【００１１】
また、第３の発明は、第１の発明において、前記ケーシングは、前記吸引口が設けられた下面と、前記下面の周囲を取り囲む外周面と、前記下面と前記外周面との間に設けられた斜面と、を有し、前記吐出口は、前記斜面の少なくともいずれかに配置されてなることを特徴とする排気装置である。  
この排気装置によれば、吐出口の下端は吸引口よりも上方に配置され、吐出流が吸引流から離れる方向に向かって吐出されやすくなるため、吸引流と吐出流とが干渉するおそれはより少なくなる。また、吐出口の開口面積を小さくすることができるため、排気装置全体の構造をすっきりとしたデザインとすることができる。
【００１２】
また、第４の発明は、第１〜３のいずれか１つの発明において、前記吐出流は、斜め下方且つ前記吸引流と干渉しない方向に、前記吐出口から吐出されることを特徴とする排気装置である。  
この排気装置によれば、吐出流が吸引流から離れる方向に向かって吐出されるため、吸引流と吐出流とが干渉するおそれはより少なくなる。そのため、捕集性能を高めることができる。また、吸引流と吐出流とが干渉しないことで吐出流（エアカーテン）の到達距離がより長くなるため、油煙や臭気などの拡散を遮断する性能を高めることができる。
【００１３】
以下、本発明の実施の形態について図面を参照しつつ説明する。なお、各図面中、同様の構成要素には同一の符号を付して詳細な説明は適宜省略する。  
図１は、本発明の実施の形態にかかる排気装置が設置されたキッチンを例示する模式図である。  
また、図２は、本実施形態にかかる排気装置を斜め上方から眺めた模式図である。  
また、図３は、本実施形態にかかる排気装置を斜め下方から眺めた模式図である。  
なお、説明の便宜上、図１に表した排気装置は断面図を表している。また、後に詳述する図４、図５、図７、図８、図１２、および図１３についても同様に、排気装置は断面図を表す。
【００１４】
本実施形態にかかる排気装置１０ａは、ケーシング１２と、排気ファン３４と、吐出ファン３６と、を備えている。ケーシング１２は、略矩形状のケーシング下部１２ａと、ケーシング下部１２ａから上方に狭まるように延在するケーシング中間部１２ｂと、ケーシング中間部１２ｂの上方に配置されたケーシング上部１２ｃと、を有している。吐出ファン３６は、ケーシング下部１２ａからケーシング中間部１２ｂにかけてケーシング１２の内部に設けられ、室内に空気を吐出している。吐出ファン３６としては、例えばクロスフローファンを用いることができる。また、排気ファン３４は、ケーシング上部１２ｃの内部に設けられ、外部に空気を排出している。
【００１５】
なお、ケーシング１２はケーシング中間部１２ｂを有しているが、これだけに限定されず、図９〜図１３に関して後述するように、ケーシング１２はケーシング中間部１２ｂを有していなくともよい。この場合には、ケーシング下部１２ａとケーシング上部１２ｃとが連結される。そして、吐出ファン３６は、ケーシング下部１２ａの内部に設けられる。
【００１６】
ケーシング１２には、吸引口２０と、吸引流路２２と、排気口２４と、吸気口２６と、吐出流路２８と、吐出口３０と、が設けられている。吸引口２０は、ケーシング下部１２ａの下端部に設けられ、上昇してくる気体（吸引流）を流入させている。また、吸引流路２２は、ケーシング下部１２ａ及びケーシング上部１２ｃの内部に設けられ、吸引口２０から吸引された気体を排気ファン３４へ導いている。排気口２４は、排気ファン３４の上方部に設けられている。排気ファン３４から排出された気体は、この排気口２４を通過し、外部へ排気される。
【００１７】
一方、吸気口２６は、吐出ファン３６の上方部に設けられている。室内の空気は、この吸気口２６を通過して、吐出ファン３６に取り入れられる。また、吐出流路２８は、吸引流路２２と隔離されて設けられており、吐出ファン３６から吹き出された空気を室内へ導いている。吐出ファン３６から吹き出された空気は、吐出流路２８を通り、吐出口３０から室内へ吐出される。
【００１８】
本実施形態にかかる排気装置１０ａは、図２に表したように、３台の吐出ファン３６がケーシング１２の内部に設けられている。また、図２および図３に表したように、吐出口３０は略矩形の形状を有しており、ケーシング下部１２ａの外周面１２ｄに、３箇所に設けられている。それぞれの吐出口３０は、それぞれの吐出ファン３６に対応している。吐出ファン３６を設ける方向は、調理者が立つ側（前方側）ではなく、その左右側方および後方側であることがより好ましい。これは、吐出口３０から吐出された気体（吐出流）が調理者に直接当たると、その使用者に不快感を与えるおそれがあるためである。
【００１９】
なお、吐出口３０は、それぞれが連続した１つの吐出口であってもよい。また、吐出口３０は、ケーシング下部１２ａのいずれかの外周面１２ｄに、１箇所または２箇所に設けられていてもよい。さらに本実施形態では、３台の吐出ファン３６を設けて、それぞれに対応した吐出口３０から吹き出す場合を説明しているが、これだけに限定されず、吐出ファン３６の数を減らして（例えば、一台の吐出ファンとして）風路を分岐させて、吐出流をそれぞれの吐出口３０から吐出するようにしてもよい。このようにすることで、部品点数を減少させることができる。
【００２０】
排気装置１０ａの下方には、図１に表したように、例えば調理器具７０が設けられ、調理器具７０上には鍋７２などが載置される。鍋７２などから発生した油煙や臭気などの吸引流は、排気ファン３４に吸い込まれるようにして、矢印Ｃに表したように吸引口２０から吸引流路２２へ流入する。吸引口２０から吸い込まれた吸引流は、吸引流路２２を通って、排気ファン３４に吸い込まれる。その後、排気ファン３４は、吸い込んだ吸引流を排気口２４から矢印Ｄに表したように外部へ排気する。
【００２１】
一方、ケーシング中間部１２ｂの上方部にある空気は、吐出ファン３６に吸い込まれるようにして、吸気口２６から流入する。吐出ファン３６は、矢印Ａに表したように、吸い込んだ空気を吐出流路２８の方向へ吹き出す。吐出ファン３６から吹き出された空気は、吐出流路２８を通って、矢印Ｂに表したように、吐出口３０から吐出流として斜め下方へ吐出される。吐出口３０から斜め下方へ吐出された吐出流は、いわゆるエアカーテンを形成する。
【００２２】
図４は、排気装置の吐出口の近傍を表す拡大模式図である。  
本実施形態にかかる排気装置１０ａの吐出口３０は、前述したように、ケーシング下部１２ａの外周面１２ｄに設けられている。吐出口３０の下端３０ａは、吸引口２０よりも上方に配置されている。また、吐出口３０の近傍の吐出流路２８の先端部２８ｂは、排気装置１０ａの外側へ向かい、且つ斜め下方へ向かう斜面２８ａを有している。すなわち、斜面２８ａは、吸引流路２２の側面２２ａに対して離れる方向に傾斜している。
【００２３】
吸引口２０の中央部の吸引流は、図１に表したように、ケーシング下部１２ａの下面よりも上方に位置する吸引流路２２に向かって流れる。一方、吐出口３０の近傍（吸引口２０の周辺部の近傍）の吸引流は、図４の領域４４に表したように、ケーシング下部１２ａの下面から吸引流路２２に向かって流れる。
【００２４】
そのため、吐出口３０の下端３０ａがケーシング下部１２ａの下面に配置された場合や、下端３０ａがケーシング下部１２ａの下面と、ケーシング下部１２ａの外周面１２ｄと、が接する部分に配置された場合には、吐出流（矢印Ｂ）と吸引流（矢印Ｃ）とが領域４４において干渉するおそれがある。吐出流と吸引流とが干渉すると、吸引性能が十分に発揮できず、捕集性能が不十分となる。さらに、エアカーテンを形成する吐出流が吸引流と干渉すると、その吐出流（エアカーテン）の到達距離はより短くなるため、油煙や臭気などの拡散を遮断する性能も低下する。
【００２５】
これに対して、本実施形態にかかる排気装置１０ａにおいては、吐出口３０の下端３０ａは吸引口２０よりも上方に配置され、吐出流は排気装置１０ａの外側且つ斜め下方に向かって吐出されるため、吐出流（矢印Ｂ）と吸引流（矢印Ｃ）とが領域４４において干渉するおそれは少ない。これは、吐出口３０がケーシング下部１２ａの外周面１２ｄ、すなわち吐出口３０の下端３０ａが吸引口２０よりも上方に配置されているため、ケーシング下部１２ａの下面から吸引流路２２に向かって流れる吸引流と、吐出口３０から吐出された吐出流と、が領域４４において干渉するおそれは少ないためである。またさらに、吐出口３０から吐出された吐出流は、吸引流あるいは吸引口２０から離れる方向に向かって吐出されるためである。
【００２６】
これにより、本実施形態にかかる排気装置１０ａにおいては、吸引流と吐出流とが干渉するおそれは少ないため、捕集性能を高めることができる。さらに、吸引流と吐出流とが干渉しないことで吐出流（エアカーテン）の到達距離がより長くなるため、油煙や臭気などの拡散を遮断する性能を高めることができる。
【００２７】
次に、本実施形態の変形例について、図面を参照しつつ説明する。  
図５は、本実施形態の変形例にかかる排気装置を表す模式図である。  
また、図６は、本変形例にかかる排気装置を斜め下方から眺めた模式図である。
【００２８】
本具体例にかかる排気装置１０ｂは、図１〜図４に表した排気装置１０ａに対して、整流板４８をさらに備えている。整流板４８は、図６に表したように、排気装置１０ｂを斜め下方から眺めたとき、吸引口２０の面積よりも小さい面積を有する略矩形状をしており、吸引口２０の略中央部に設けられている。また、整流板４８は、図５に表したように、整流板４８の下面がケーシング下部１２ａの下面よりも上方に位置するように設けられている。その他の構造については、図１〜図４に表した排気装置１０ａと同様である。
【００２９】
本変形例の排気装置１０ｂは、整流板４８を備えているため、吸引流は整流板４８と吸引流路２２の側面２２ａとの間の狭い隙間２２ｂから吸引される。隙間２２ｂは、整流板４８の周縁に沿って存在している。隙間２２ｂの面積は、吸引口２０の面積よりも十分に狭いため、鍋７２などから発生した油煙や臭気などの吸引流は、より速い流速で隙間２２ｂに流入する。そのため、矢印Ｃに表したように、整流板４８に当たった吸引流であっても、隙間２２ｂの方へ吸い寄せられ、捕集性能を向上させることができる。
【００３０】
一方、整流板４８に当たった吸引流が隙間２２ｂに吸い寄せされたときに、隙間２２ｂに流入することができなかった吸引流は、側面２２ａに当たることになる。そのため、吸引流が、吐出口３０の方向に流れる可能性は少なく、吸引流と吐出流との干渉を防止しつつ、捕集性能を向上させることができる。さらに、図１〜図４に表した排気装置１０ａと同様に、吐出口３０の下端３０ａは吸引口２０よりも上方に配置され、吐出流は排気装置１０ｂの外側且つ斜め下方に向かって吐出されるため、吐出流と吸引流とが干渉するおそれは少ない。そのため、図１〜図４に表した排気装置１０ａと同様の効果を得ることができる。
【００３１】
なお、吸引流の多くは、まず整流板４８に当たるため、鍋７２などから発生した油などは、排気装置１０ｂの中で整流板４８に付着することが多い。そのため、整流板４８を清掃すれば足りることが多く、排気装置１０ｂの清掃の容易性を向上させる効果も得られる。また、後に詳述するように整流板４８の下面と、ケーシング下部１２ａの下面と、は略同一面であってもよい。
【００３２】
図７は、本実施形態の他の変形例にかかる排気装置を表す模式図である。  
本変形例にかかる排気装置１０ｃのケーシング下部１２ａは、図７に表したように、排気装置１０ｃの外側且つ斜め下方を臨む斜面１２ｅを外周面１２ｄの下方部に有している。ここで、排気装置１０ｃの外側且つ斜め下方を臨む斜面とは、その斜面に対する垂直方向（法線方向）が排気装置１０ｃの外側且つ斜め下方へ向かっている斜面を意味している。したがって、斜面１２ｅの法線方向は、吸引流路２２の側面２２ａ（図４参照）に対して離れる方向である。
【００３３】
吐出口３０は、図７に表したように、斜面１２ｅに配置されている。本変形例にかかる排気装置１０ｃにおいても、吐出口３０の下端３０ａは、吸引口２０よりも上方に配置されている。また、吐出口３０の近傍の吐出流路２８の先端部２８ｂは、排気装置１０ｃの外側へ向かい、且つ斜め下方へ向かっている。すなわち、吐出口３０の近傍の吐出流路２８の先端部２８ｂは、斜面１２ｅに対して垂直な方向に向かっている。その他の構造については、図５および図６に表した排気装置１０ｂと同様である。
【００３４】
そのため、図１〜図４に表した排気装置１０ａ、および図５〜図６に表した排気装置１０ｂと同様に、吸引流と吐出流とが干渉するおそれは少なくなり、捕集性能を高めることができる。さらに、吐出口３０の近傍の吐出流路２８の先端部２８ｂは、斜面１２ｅに対して垂直な方向に向かっているため、図７に表した吐出口３０の開口面積は、図１および図５に表した吐出口３０の開口面積よりも小さい。そのため、排気装置１０ｃ全体の構造をすっきりとしたデザインとすることができる。
【００３５】
図８は、本実施形態のさらに他の変形例にかかる排気装置を表す模式図である。  
本変形例にかかる排気装置１０ｄの吐出流路２８は、図８に表したように、吐出口３０に向かって狭まるような構造を有している。その他の構造については、図７に表した排気装置１０ｃの構造と同様である。
【００３６】
そのため、吐出口３０から吐出された吐出流の流速はより速い。したがって、より勢いのあるエアカーテンを形成させることができ、吐出流の到達距離はより長くなる。これにより、鍋７２などから発生した吸引流が、調理器具７０の周辺に拡散することをより確実に遮断することができ、捕集性能を高めることができる。また、吐出口３０の下端３０ａは吸引口２０よりも上方に配置され、吐出流は排気装置１０ｄの外側且つ斜め下方に向かって吐出されるため、図１〜図４に表した排気装置１０ａと同様の効果を得ることができる。さらに、ケーシング下部１２ａは斜面１２ｅを有し、吐出口３０は斜面１２ｅに配置されているため、図７に表した排気装置１０ｃと同様の効果を得ることができる。
【００３７】
次に、本発明の実施の形態にかかる排気装置の具体例について、図面を参照しつつ説明する。  
図９は、本発明の実施の形態の具体例にかかる排気装置を例示する模式図である。  
また、図１０は、本具体例にかかる排気装置を上面から眺めた上面模式図である。  
また、図１１は、本具体例にかかる排気装置を底面から眺めた底面模式図である。
【００３８】
本具体例にかかる排気装置１０ｅのケーシング下部１２ａは、図７および図８に表した排気装置と同様に、外周面１２ｄと斜面１２ｅとを有している。吐出口３０は、図１１に表したように、後方および左右側方に位置する斜面１２ｅに配置されている。また、前方に位置する斜面１２ｅには、各種の操作スイッチ５０が設けられている。操作スイッチ５０は、例えば、排気装置１０ｅの基本的操作である吸引動作の「入／切」、吸引動作の「強／弱の切替」、手元照明の「入／切」、動作タイマーの「設定」などを行うためのものである。
【００３９】
また、本具体例の排気装置１０ｅは、図５〜図８に表した排気装置と同様に、整流板４８を備えている。この整流板４８は、その下面がケーシング下部１２ａの下面と略同一面となるように設けられている。ケーシング１２は、図１〜図８に表した排気装置のようなケーシング中間部１２ｂを有していない。そのため、吸気口２６は、図１０に表したように、ケーシング下部１２ａの上面に設けられている。なお、吸気口２６は複数の小さな孔を有し、前方および左右側方に位置するケーシング下部１２ａの上面に設けられている。
【００４０】
図１２は、本具体例にかかる排気装置の内部構造を表す模式図である。  
また、図１３は、排気装置の吐出口の近傍を表す拡大模式図である。  
本具体例にかかる排気装置１０ｅの吐出口３０は、図７に表した排気装置１０ｃと同様に、斜面１２ｅに配置されている。そして、図１３に表したように、吐出口３０の下端３０ａは、吸引口２０よりも上方に配置されている。また、吐出口３０の近傍の吐出流路２８の先端部２８ｂは、排気装置１０ｅの外側へ向かい、且つ斜め下方へ向かっている。すなわち、吐出口３０の近傍の吐出流路２８の先端部２８ｂは、斜面１２ｅに対して垂直な方向に向かっている。
【００４１】
そのため、吸引流と吐出流とが干渉するおそれは少なくなり、捕集性能を高めることができる。これは、図１〜図４に関して前述したように、吐出口３０の下端３０ａが吸引口２０よりも上方に配置されているため、ケーシング下部１２ａの下面から吸引流路２２に向かって流れる吸引流と、吐出口３０から吐出された吐出流と、が干渉するおそれは少ないためである。さらに、吐出口３０から吐出された吐出流は、吸引流あるいは吸引口２０から離れる方向に向かって吐出されるためである。
【００４２】
一方、吐出ファン３６は、吐出口３０により近い位置であって、ケーシング下部１２ａの内部に設けられている。そのため、吐出流路２８による圧力損失は、図１〜図８に表した排気装置よりも小さくなり、吐出口３０から吐出される吐出流の流速はより速くなる。そのため、より勢いのあるエアカーテンを形成させることができ、吐出流の到達距離はより長くなる。これにより、鍋７２などから発生した吸引流が、調理器具７０の周辺に拡散することをより確実に遮断することができ、捕集性能を高めることができる。
【００４３】
以上説明したように、本実施形態によれば、吐出口３０の下端３０ａは吸引口２０よりも上方に配置され、吐出流は排気装置の外側且つ斜め下方に向かって吐出される。そのため、吸引流と吐出流とが干渉するおそれは少なくなり、捕集性能を高めることができる。さらに、吸引流と吐出流とが干渉しないことで吐出流（エアカーテン）の到達距離がより長くなるため、油煙や臭気などの拡散を遮断する性能を高めることができる。
【００４４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ケーシング１２などが備える各要素の形状、寸法、材質、配置などや排気ファン３４、吐出ファン３６、整流板４８の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４５】
【図１】本発明の実施の形態にかかる排気装置が設置されたキッチンを例示する模式図である。
【図２】本実施形態にかかる排気装置を斜め上方から眺めた模式図である。
【図３】本実施形態にかかる排気装置を斜め下方から眺めた模式図である。
【図４】排気装置の吐出口の近傍を表す拡大模式図である。
【図５】本実施形態の変形例にかかる排気装置を表す模式図である。
【図６】本変形例にかかる排気装置を斜め下方から眺めた模式図である。
【図７】本実施形態の他の変形例にかかる排気装置を表す模式図である。
【図８】本実施形態のさらに他の変形例にかかる排気装置を表す模式図である。
【図９】本発明の実施の形態の具体例にかかる排気装置を例示する模式図である。
【図１０】本具体例にかかる排気装置を上面から眺めた上面模式図である。
【図１１】本具体例にかかる排気装置を底面から眺めた底面模式図である。
【図１２】本具体例にかかる排気装置の内部構造を表す模式図である。
【図１３】排気装置の吐出口の近傍を表す拡大模式図である。
【符号の説明】
【００４６】
１０ａ、１０ｂ、１０ｃ、１０ｄ、１０ｅ 排気装置、  １２ ケーシング、  １２ａ ケーシング下部、  １２ｂ ケーシング中間部、  １２ｃ ケーシング上部、  １２ｄ 外周面、  １２ｅ 斜面、  ２０ 吸引口、  ２２ 吸引流路、  ２２ａ 側面、  ２２ｂ 隙間、  ２４ 排気口、  ２６ 吸気口、  ２８ 吐出流路、  ２８ａ 斜面、  ３０ 吐出口、  ３０ａ 下端、  ３４ 排気ファン、  ３６ 吐出ファン、  ４４ 領域、  ４８ 整流板、  ５０ 操作スイッチ、  ７０ 調理器具、  ７２ 鍋
【図１】
2009236431.tif 000003
【図２】
2009236431.tif 000004
【図３】
2009236431.tif 000005
【図４】
2009236431.tif 000006
【図５】
2009236431.tif 000007
【図６】
2009236431.tif 000008
【図７】
2009236431.tif 000009
【図８】
2009236431.tif 000010
【図９】
2009236431.tif 000011
【図１０】
2009236431.tif 000012
【図１１】
2009236431.tif 000013
【図１２】
2009236431.tif 000014
【図１３】
2009236431.tif 000015